(57)【特許請求の範囲】
【請求項１】
可視光を反射する可視光反射領域と、可視外光を反射する可視外光反射領域とを有する反射面に接する媒体に照射される、可視光と可視外光とを含む入射光の反射光から、可視光の分光特性を取得する可視光検知手段と、
前記反射光から、可視外光の分光特性を取得する可視外光検知手段と、
前記可視光反射領域に照射される、前記入射光の反射光から、前記可視外光検知手段が検知する可視外光の分光特性に含まれるスペクトル強度と、前記可視外光反射領域に照射される、前記入射光の反射光から、前記可視外光検知手段が検知する可視外光の分光特性に含まれるスペクトル強度と、の差を基準値として、検知される前記可視光の分光特性に対する補正を行う補正手段と、
を有することを特徴とする光検知装置。
【請求項２】
前記可視光反射領域は、可視外光を反射しない領域を含むことを特徴とする請求項１記載の光検知装置。
【請求項３】
可視光を反射する可視光反射領域と、可視外光を反射する可視外光反射領域とを有する反射面に接する媒体に照射される、可視光と可視外光とを含む入射光の反射光から、可視光の分光特性を取得する可視光検知ステップと、
前記反射光から、可視外光の分光特性を取得する可視外光検知ステップと、
前記可視光反射領域に照射される、前記入射光の反射光から、前記可視外光検知ステップにおいて検知される可視外光の分光特性に含まれるスペクトル強度と、前記可視外光反射領域に照射される、前記入射光の反射光から、前記可視外光検知ステップにおいて検知される可視外光の分光特性に含まれるスペクトル強度と、の差を基準値として、検知される前記可視光の分光特性に対する補正を行う補正ステップと、
を有することを特徴とする光検知方法。
【発明の詳細な説明】
【技術分野】
【０００１】
本発明は、光検知装置、光検知方法、及び、光反射部材に関する。
【背景技術】
【０００２】
従来から、画像を読み取るスキャナでは、複数の読み取り方式が用いられている。単一の機種においても、複数の読み取り方式から、一の読み取り方式を選択することができる機種がある。このようなスキャナでは、読み取り方式に関わりなく、なるべく同一の画像データを得ることが望ましい。そこで、例えば、スキャナの設計時に、所定の原稿に対して同一の画像データとなる補正処理を組み込んでいる。
【０００３】
しかしながら、操作者が用いる媒体が、紙厚、白色度、及び、平滑度等が、設計時に考慮した所定の原稿と異なる場合には、複数の読み取り方式の間で、同一の出力を得られるとは限らない。
【０００４】
そこで、例えば、特開平６−２１７１２３号公報（特許文献１）には、原稿表面に形成される赤外線を吸収するインクによる特定のマークと、原稿裏面に形成されているカーボンブラック等による画像とを区別するために、反射光に含まれている赤外線と他の色の光との相対関係を用いる画像処理装置の発明が開示されている。
【０００５】
また、特開２００２−５７８４８号公報（特許文献２）には、低濃度の着目点における反射光の短波長と長波長とのバランスを調べ、短波長が低いとき、紙面の裏面上の色材からの反射光と判定し、これを除去する画像処理装置等の発明が開示されている。
【０００６】
ところで、媒体上に形成されている画像を読み込んで得られる画像データには、媒体の特性の他に、実際の読み取り条件も、影響が及ぼされる。例えば、画像を読み取る際に、原稿に「浮き」がある場合には、その影響が読み取った画像データに現れる。
【発明の概要】
【発明が解決しようとする課題】
【０００７】
しかしながら、上記特許文献１及び２に開示の画像処理装置等の発明は、原稿の裏に形成されている画像の「裏写り」の影響を排除するものであり、媒体そのものの特性に対する補正については、考慮されていない。
【０００８】
本発明は、上記の点に鑑みて、これらの問題を解消するために発明されたものであり、媒体の特性に関わらず、高品質な画像データを取得する画像読み取りを実現するための光検知装置、光検知方法、及び、光反射部材を提供することを目的としている。
【課題を解決するための手段】
【０００９】
上記目的を達成するために、本発明の光検知装置は次の如き構成を採用した。本発明の光検知装置は、可視光を反射する可視光反射領域と、可視外光を反射する可視外光反射領域とを有する反射面に接する媒体に照射される、可視光と可視外光とを含む入射光の反射光から、可視光の分光特性を取得する可視光検知手段と、前記反射光から、可視外光の分光特性を取得する可視外光検知手段と、前記可視光反射領域に照射される、前記入射光の反射光から、前記可視外光検知手段が検知する可視外光の分光特性に含まれるスペクトル強度と、前記可視外光反射領域に照射される、前記入射光の反射光から、前記可視外光検知手段が検知する可視外光の分光特性に含まれるスペクトル強度と、の差を基準値として、検知される前記可視光の分光特性に対する補正を行う補正手段と、を有する構成とすることができる。
【００１０】
これにより、媒体の特性に関わらず、高品質な画像データを取得する画像読み取りを実現するための光検知装置を提供することができる。
【００１１】
なお、上記課題を解決するため、本発明は、上記光検知装置における光検知方法、又は、反射光を上記光検知装置が検知する光反射部材としてもよい。
【発明の効果】
【００１２】
本発明の光検知装置、光検知方法、及び、光反射部材によれば、媒体の特性に関わらず、高品質な画像データを取得する画像読み取りを実現するための光検知装置、光検知方法、及び、光反射部材を提供することが可能になる。
【図面の簡単な説明】
【００１３】
【図１】図１は、本実施の形態に係る画像形成装置１の構成の概略を示す図である。
【図２】図２は、ＣＣＤの構成を示す図である。
【図３】図３は、ＣＣＤが有する受光素子列のフィルタ分光特性を示す図である。
【図４】図４は、ガラス板が有する赤外カットフィルタの分光特性を示す図である。
【図５】図５は、可視光カットフィルタの分光特性を示す図である。
【図６】図６は、赤外の波長域の光に感度を有する反射材の分光特性である。
【図７】図７は、可視光の波長域に感度を有する反射材の分光特性である。
【図８】図８は、遠赤外カットフィルタの分光特性を示す図である。
【図９】図９は、Ａ４サイズの厚板の裏当てを、原稿に接する側から見た図である。
【図１０】図１０は、Ａ４サイズの厚板の裏当てを、原稿に接する側から見た図である。
【図１１】図１１は、ＡＲＤＦの裏当てシートの領域毎の配置を説明する図である。
【図１２】図１２は、奥基準の置き方を示す図である。
【図１３】図１３は、センター基準の置き方を示す図である。
【図１４】図１４は、検知した反射光の特性に基づいて画像データの補正を行う機能ブロックを説明する図である。
【図１５】図１５は、反射光が赤外の波長域を含まない領域の、分光特性を示す図である。
【図１６】図１６は、反射光が赤外の波長域を含む領域の、分光特性を示す図である。
【図１７】図１７は、反射光が赤外の波長域を含まない原稿の読み取り値を示す図である。
【図１８】図１８は、反射光が赤外の波長域を含む薄い原稿の読み取り値を説明する図である。
【図１９】図１９は、読み取り値から得られる媒体の種類毎に、画像の地肌部分に行う「地肌とばし」の処理を決定する処理を説明するフロー図である。
【図２０】図２０は、図１４の機能ブロックによる信号のタイミングチャートである。
【図２１】図２１は、本実施の形態に係る光検知装置の機能構成を示す図である。
【発明を実施するための形態】
【００１４】
以下、本実施の形態を図面に基づき説明する。
【００１５】
〔本実施の形態〕
図１は、本実施の形態に係る画像形成装置１の構成の概略を示す図である。図１の画像形成装置１は、自動搬送装置（以下、「ＡＤＦ」という。）２、給紙部３、画像読取部４、及び、画像形成部５を有する。
【００１６】
ＡＤＦ２は、入力される原稿を、画像読取部４に送り込む。ＡＤＦ２は、原稿トレイ１１、排紙トレイ１２、及び、搬送部１３を有する。原稿トレイ１１は、操作者により、画像を読み取る原稿が載置される。排紙トレイ１２は、読み取られた原稿が排出される。搬送部１３は、原稿トレイ１１に載置された原稿を、画像読取部４に送る。
【００１７】
給紙部３は、画像を形成する媒体を格納し、画像形成部５に対して１枚ずつ媒体を給紙する。
【００１８】
画像読取部４は、スリットガラス７、キャリッジ２５、キャリッジ２６、結像レンズ２７、及び、撮像部２８を有する。スリットガラス７は、原稿が搬送され通過する。キャリッジ２５は、光源及びミラー部材が搭載される。この光源により、スリットガラス７の上の原稿に照射する。光源は、可視光の他に、赤外領域の波長の光を含む。キャリッジ２６は、ミラー部材が搭載される。
【００１９】
結像レンズ２７は、原稿に照射された光の反射光が、キャリッジ２５及びキャリッジ２６に搭載されたミラー部材により折り返された光を、撮像部２８に結像する。
【００２０】
撮像部２８は、結像レンズ２７が結像する光を読み取る。撮像部２８は、可視光の３ラインＣＣＤと、赤外領域の光のＣＣＤとを含む。
【００２１】
図２は、撮像部２８が有するＣＣＤ３０の構成を示す図である。図２のＣＣＤ３０は、受光素子列（ＣＣＤラインセンサー）３１ないし３４を有する。受光素子列３１は、赤外光を読み取るＩＲセンサである。受光素子列３２ないし３４は、可視光成分を読み取る。受光素子列３２は、Ｒ波長成分を読み取るＲセンサであり、受光素子列３３は、Ｇ波長成分を読み取るＧセンサであり、受光素子列３４は、Ｂ波長成分を読み取るＢセンサである。各受光素子は、主走査方向及び副走査方向に、４．７μｍの開口を有する。
【００２２】
４つの異なる光学特性を有する受光素子列３１ないし３４は、各受光素子が原稿の同一ラインを読み取るべく、互いに並行に配置されるように、同一のシリコンチップ上にモノシリックに構成される。
【００２３】
各受光素子は、主走査方向に７２００画素並ぶ。これにより、Ａ３原稿の短手方向（２９７ｍｍ）を６００ｄｐｉの解像度で読み取る。また、受光素子列３２ないし３４の列間の間隔は、１８．８μｍであり、６００ｌｐｉ（ｌｉｎｅ  ｐｅｒ  ｉｎｃｈ）の副走査解像度に対して、各４ラインずつ離れている。また、赤外光を読み取る受光素子列３１と、可視光を読み取る受光素子列３２との間のライン間隔は、他のライン間隔の倍の３７．６μｍ（８ライン分）である。
【００２４】
ＣＣＤ３０を用いることにより、可視光と赤外光との読み取りに対して、レンズ等の光学系を共通にすることができる。これにより、光学調整等の精度をあげることと、光学調整を容易することとを実現できる。
【００２５】
ガラス板３５は、ＣＣＤ３０の前面に配置される。ガラス板３５の厚さは、約３００μｍである。ガラス板３５は、交斜線のハッチングを付した箇所に、赤外線をカットする特性を有する。この特性は、蒸着膜により形成されたダイクロイックミラーにより得られる。
【００２６】
以下の図３ないし図８において、横軸は、入射光の波長（ｎｍ）、縦軸は、相対感度を示す。
【００２７】
図３は、図２に示すＣＣＤ３０が有する受光素子列３１ないし３４の、フィルタ分光特性を示す図である。図３のＲは、受光素子列３２が有する素子に取り付けられるフィルタであり、赤の波長域の光と赤外の波長域の光とに対して感度を有する。図３のＧは、受光素子列３３が有する素子に取り付けられるフィルタであり、緑の波長域の光と赤外の波長域の光とに対して感度を有する。図３のＢは、受光素子列３４が有する素子に取り付けられるフィルタであり、青の波長域の光と赤外の波長域の光とに対して感度を有する。
【００２８】
図３のＩＲは、受光素子列３１が有する素子に取り付けられるフィルタであり、赤外の波長域の光に対して感度を有する。
【００２９】
図４は、ガラス板３５が有する赤外カットフィルタの分光特性を示す図である。図３の、Ｒ、Ｇ、Ｂのフィルタ分光特性は、可視光以外の、７００ｎｍ以上の赤外光に対しても感度を有する。そこで、図４に示す赤外カットフィルタを用い、受光素子に対して、赤外光を照射させない。
【００３０】
なお、図３のＩＲに示すフィルタ特性は、可視光の波長域に感度を有さない。しかし、可視光の波長域に感度を有する赤外光のフィルタを用いる場合には、図５に示す特性の、可視光カットフィルタを用いるとよい。可視光カットフィルタは、ガラス板３５の、受光素子列３１に照射される光が入射する箇所に蒸着されるとよい。
【００３１】
図６及び図７は、原稿の裏当てに用いる部材の分光特性を説明する図である。図６は、赤外の波長域の光に感度を有する反射材の分光特性である。図７は、可視光の波長域に感度を有する反射材の分光特性である。
【００３２】
本実施の形態では、図６に示す特性の反射材による反射光に含まれる、赤外の応答を、ＩＲセンサで検出する。したがって、ＩＲセンサは、７５０ｎｍから９００ｎｍの赤外光のみを検出する。
【００３３】
図８は、遠赤外カットフィルタの分光特性を示す図である。遠赤外カットフィルタは、ＩＲセンサに加えて、Ｒセンサ、Ｇセンサ、及び、Ｂセンサの何れに対しても、検知する波長域の光に対する影響がない。そこで、遠赤外カットフィルタは、検知される全ての波長域の光に対して共通の光路である、結像レンズ２７に取り付けられるとよい。結像レンズ２７に取り付けることにより、遠赤外カットフィルタのフィルタ設計が容易になり、良好な遠赤外カットの特性を、簡単な干渉膜の構成で実現することができる。
【００３４】
図９ないし図１１は、ＡＲＤＦの裏当てシートについて説明する図である。図９は、Ａ４サイズの厚板の裏当てを、原稿に接する側から見た図である。図中、ハッチングを付した領域が、反射光に赤外の波長域の光を含む領域であり、図６に示す分光特性を示す。白色の領域が、反射光に赤外の波長域の光を含まない領域であり、図７に示す分光特性を示す。
【００３５】
図９では、Ａ４サイズ、すなわち、２１０ｍｍ×２９７ｍｍを、主走査方向に９分割、副走査方向に１３分割し、各領域の大きさを約２３ｍｍ角の正方形としている。なお、実施の形態は、図９に示す例に限らず、主走査方向及び副走査方向において、各領域の大きさを他のサイズにしてもよい。
【００３６】
図１０は、Ａ４サイズの厚板の裏当てを、原稿に接する側から見た図である。図１０では、２３ｍｍ角の正方形のうち、１０ｍｍ×１０ｍｍの領域が、実際に読み取る領域であり、その他の部分はマージンである。このマージンは、読み取り時のフレアの影響、裏当ての機械的な遊びによる位置ずれ等を考慮して、２つの領域の境界部を、読み取る領域としないことによるものである。
【００３７】
図１１は、ＡＲＤＦの裏当てシートの領域毎の、配置を説明する図である。ＡＲＤＦでは、副走査方向に領域の制約がある。そこで、主走査方向に対して図１１の配置を行い、副走査方向については、主走査方向に対して位相がずれた同一の配置を繰り返す。これにより、原稿を読み取る際に位置ずれが生じる場合でも、副走査方向の何れかのローラの領域において、好適に、媒体の特性を取得することができる。
【００３８】
なお、領域の配置は、定型サイズの原稿を読み取る際に、原稿の端部と領域の境界線とが一致しないことが望ましい。これにより、同一の分光性能を持つ領域を跨ぐ位置に、原稿端部が位置することにより、原稿端部で反射光の分光特性が切り替わることを観測することができ、精度よく検知ができる。なお、原稿端部は、より好ましくは、なるべく領域の中央付近と一致するとよい。領域の配置の情報は、予め光検知装置に入力される等して、保持されているとよい。光検知装置において反射光が読み取られる際に、領域の配置の情報が、対応づけられ、何れの領域からの反射光かを判別することができる。
【００３９】
図１２及び図１３は、裏当てシートの領域と、原稿の位置との関係を示す図である。原稿の置き方は、奥基準、及び、センター基準の２種類がある。図１２は、奥基準の置き方を示す図である。奥基準とは、原稿端部のうちの２つの端が、裏当ての端と一致する置き方である。図１３は、センター基準の置き方を示す図である。センター基準とは、原稿端部のうちの１つの端が、裏当ての端と一致し、かつ、原稿と裏当てとの主走査方向の中央位置が一致する置き方である。
【００４０】
図１４は、検知した反射光の特性に基づいて画像データの補正を行う機能ブロックを説明する図である。図１４の構成は、読み取り条件検知部４１、ラインメモリ４２、及び、画像補正部４３を有する。
【００４１】
読み取り条件検知部４１は、反射光に赤外の波長域の光を含む領域と、赤外の波長域の光を含まない領域とを検知し、その領域の位置と、図９に示す裏当てに配置される領域の位置とを比較する。これにより、原稿の透け具合を判定する。
【００４２】
読み取り条件検知部４１は、裏当ての分光特性の切り替わる位置の反射光については、フレアの影響や裏当ての機械的な遊びによる位置ずれを考慮して、判定に用いない。より詳細には、図８に示す領域の中央付近の位置の他は、主走査方向及び副走査方向において、直前に検知した値を用いる。
【００４３】
ラインメモリ４２は、図８に示す領域の中央付近の位置の他の位置において用いる、直前に検知した値を保持する。
【００４４】
画像補正部４３は、読み取り条件検知部４１が検知した結果、すなわち、原稿の透け具合に基づいて、可視の波長域の各成分の値に対する補正を行う。
【００４５】
以下の図１５及び図１６において、横軸は、入射光の波長（ｎｍ）、縦軸は、相対感度を示す。
【００４６】
図１５及び図１６は、異なる厚さの原稿を裏当て上に置いた場合の、反射光の分光特性を、領域毎に説明する図である。図１５は、裏当ての領域のうち、反射光が赤外の波長域を含まない領域の、分光特性を示す図である。図１５では、厚い原稿の反射光が、より薄い原稿の反射光よりも、相対的な感度が低下する。
【００４７】
図１６は、反射光が赤外の波長域を含む領域の、分光特性を示す図である。図１６では、図１５と同様に、厚い原稿の反射光が、より薄い原稿の反射光よりも、相対的な感度が低下する。図１６では、さらに、赤外の波長域である９００ｎｍ付近にもピークがある。
【００４８】
図１７及び図１８は、光の読取値を示す図である。図１７及び図１８では、領域の種類と波長域（光の色）毎に、読み取り値が示される。
【００４９】
図１７（ａ）は、薄い原稿の読み取り値、図１７（ｂ）は、厚い原稿の読み取り値である。（Ｒ１、Ｇ１、Ｂ１、ＩＲ１）は、裏当ての領域のうち、反射光が赤外の波長域を含まない領域に置かれた原稿の反射光の読み取り値、（Ｒ２、Ｇ２、Ｂ２、ＩＲ２）は、裏当ての領域のうち、反射光が赤外の波長域を含む領域に置かれた原稿の反射光の読み取り値である。
【００５０】
図１７（ａ）及び図１７（ｂ）において、Ｒ、Ｇ、Ｂの可視光の読み取り値は、ほぼ同一であり、裏当ての影響がない。しかし、赤外の波長域の読み取り値のうち、ＩＲ２が、原稿の厚みによって異なり、裏当ての影響がある。より詳細には、ＩＲ２がＩＲ１より大きな値となる。そこで、この差分ΔＩＲ＝（ＩＲ２−ＩＲ１）より、読み取り時の状況を判定し、補正を行う。
【００５１】
図１８は、反射光が赤外の波長域を含む原稿読み取り値を説明する図である。図１８（ａ）は、裏当ての反射光の読み取り値、図１８（ｂ）は、反射光が赤外の波長域を含む薄い原稿の反射光の読み取り値である。図１８（ｂ）のＩＲ１は、図１８（ａ）のＩＲ１よりも大きな値となる。これは、原稿の反射光が、赤外の波長域を含むためである。
【００５２】
そこで、裏当ての領域の反射光のうち、ＩＲ１の値を、ＩＲ１＿ｒｅｆとすると、ΔＩＲ１＝（ＩＲ１＿ｒｅｆ−ＩＲ１）が負の値の場合には、ＩＲ２の読み取り値に、ΔＩＲ１の絶対値を加算して、原稿による反射光に含まれる赤外の波長域の値をキャンセルする。
【００５３】
図１９は、図１７及び図１８に示す読み取り値から得られる媒体の種類毎に、画像の地肌部分に行う「地肌とばし」の処理を決定する処理を説明するフロー図である。図１９のステップＳ１１では、ΔＩＲ１の値を計算する。ΔＩＲ１＝（ＩＲ１＿ｒｅｆ−ＩＲ１）である。ΔＩＲ１が正の値の倍には、ステップＳ１２に進む。ΔＩＲ１が負の値の場合には、ステップＳ１３に進む。
【００５４】
ステップＳ１１に続くステップＳ１２では、ΔＩＲ＝ＩＲ２−ＩＲ１の値を計算する。ここでは、原稿の反射光が赤外の波長域の値を含まない。一方、ステップＳ１１に続くステップＳ１３では、ΔＩＲ＝ＩＲ２＋（−ΔＩＲ１）−ＩＲ１の値を計算する。ここでは、原稿の反射光が赤外の波長域の値を含む。
【００５５】
ステップＳ１２又はステップＳ１３に続いてステップＳ１４に進む。ステップＳ１４では、ΔＩＲが、ＭａｘＴｈと略同一か否かを判断する。ＭａｘＴｈは、裏当ての領域を読み取った値のうちの、ＩＲ２とＩＲ１（ＩＲ＿ｒｅｆ）との差である。
【００５６】
ΔＩＲが、ＭａｘＴｈと略同一の場合、すなわち、裏当てそのものを読み取った値と判定する場合には、ステップＳ１６に進む。一方、ΔＩＲが、ＭａｘＴｈと略同一ではない場合、すなわち、原稿の反射光を読み取った値と判定する場合には、ステップＳ１５に進む。
【００５７】
ステップＳ１４に続くステップＳ１５では、ΔＩＲが、０と略同一か否かを判断する。ΔＩＲが、０と略同一の場合、すなわち、原稿の厚みが十分であり、裏当てからの「透け」の影響を受けていない場合には、ステップＳ１８に進む。一方、ΔＩＲが、０と略同一では無い場合、すなわち、原稿が薄く、裏当てからの「透け」の影響を受けている場合には、ステップＳ１７に進む。
【００５８】
ステップＳ１４に続くステップＳ１６では、対象となる領域に対し、地肌飛ばしの処理を殆ど行わないこととする。ステップＳ１５に続くステップＳ１７では、対象となる領域に対し、標準よりも弱い地肌飛ばしの処理を行うこととする。ステップＳ１５に続くステップＳ１８では、標準の地肌飛ばしの処理を行うこととする。
【００５９】
図２０は、図１４の機能ブロックによる信号のタイミングチャートである。図２０では、主走査方向の１ラインについて示す。図２０のうち、Ｌｓｙｎｃが、主走査方向の同期信号である。ＩＲチャネル読み取り値は、受光素子列３１により、読み取られた値であり、ＩＲ１とＩＲ２の値を含む。
【００６０】
領域分割信号は、図９に示す領域の同期信号であり、正方形の一領域毎に、信号が反転する。検出イネーブル信号は、領域の中央付近で検知が行われるように、領域分割信号の半分の周期で反転する信号である。この信号は、領域の配置の情報に基づいて生成されるとよい。
【００６１】
分光特性領域選択信号は、裏当ての領域毎の分光特性に対応づけられる。すなわち、反射光に赤外の波長域を含む領域と含まない領域とを区別する信号である。
【００６２】
ＩＲチャネル検出結果は、ＩＲチャネル読み取り値に対し、検出イネーブル信号と、分光特性領域選択信号とに基づいて得られる信号である。図２０のＩＲチャネル検出結果は、図１０に示す実際に読み取る領域の他の領域に対し、主走査方向における直前の値を適用した信号である。すなわち、検出イネーブルがオフされている区間は、前の領域におけるＩＲチャネル検出結果が保持される。
【００６３】
ΔＩＲは、ＩＲチャネル検出結果に基づいて、領域毎に、ＩＲ１とＩＲ２とを取得した後に得られた値である。
【００６４】
図２１は、本実施の形態に係る光検知装置の機能構成を示す図である。図２１の構成は、光照射手段１０１、光反射手段１０２、可視光検知手段１０３、可視外光検知手段１０４、及び、補正手段１０５を有する。
【００６５】
光照射手段１０１は、可視光と可視外光とを含む光を、媒体又は光反射手段１０２に照射する。光反射手段１０２は、可視光のみを反射する領域と、可視外光を含む光を反射する領域とを有する。光反射手段１０２の面に接して媒体が置かれる。
【００６６】
可視光検知手段１０３は、光反射手段１０２又は媒体が反射する反射光に含まれる可視光を検知する。可視外光検知手段１０４は、光反射手段１０２又は媒体が反射する反射光に含まれる可視外光を検知する。これらの検知手段は、例えば、ＣＣＤ上の受光素子である。
【００６７】
補正手段１０５は、可視外光検知手段１０４が検知した可視外光に基づいて、可視光検知手段１０３が検知した可視光に対する補正を行う。なお、補正手段１０５は、例えば、ＣＰＵがコンピュータプログラムを実行することにより実現されてもよい。
【００６８】
（コンピュータ等による実現）
なお、本発明の実施の形態に係る光検知装置は、例えばパーソナルコンピュータ（ＰＣ）等で実現されてもよい。また、本発明の実施形態に係る光検知方法は、例えば、ＣＰＵがＲＯＭやハードディスク装置等に記憶されたプログラムに従い、ＲＡＭ等のメインメモリをワークエリアとして使用し、実行される。
【００６９】
以上、発明を実施するための最良の形態について説明を行ったが、本発明は、この最良の形態で述べた実施の形態に限定されるものではない。本発明の主旨をそこなわない範囲で変更することが可能である。
【産業上の利用可能性】
【００７０】
以上のように、本発明にかかる光検知装置は、分光特性の異なる原稿からの画像データの読み取りに有用であり、特に、スキャナに適している。
【符号の説明】
【００７１】
１     画像形成装置
３     給紙部
４     画像読取部
５     画像形成部
７     スリットガラス
１１   原稿トレイ
１３   搬送部
２５   キャリッジ
２６   キャリッジ
２７   結像レンズ
２８   撮像部
３０   ＣＣＤ
３１   受光素子列
３２   受光素子列
３３   受光素子列
３４   受光素子列
３５   ガラス板
４１   読み取り条件検知部
４２   ラインメモリ
４３   画像補正部
１０１ 光照射手段
１０２ 光反射手段
１０３ 可視光検知手段
１０４ 可視外光検知手段
１０５ 補正手段
【先行技術文献】
【特許文献】
【００７２】
【特許文献１】特開平６−２１７１２３号公報
【特許文献２】特開２００２−５７８４８号公報
【図１】
0005552852.tif 000002
【図２】
0005552852.tif 000003
【図３】
0005552852.tif 000004
【図４】
0005552852.tif 000005
【図５】
0005552852.tif 000006
【図６】
0005552852.tif 000007
【図７】
0005552852.tif 000008
【図８】
0005552852.tif 000009
【図９】
0005552852.tif 000010
【図１０】
0005552852.tif 000011
【図１１】
0005552852.tif 000012
【図１２】
0005552852.tif 000013
【図１３】
0005552852.tif 000014
【図１４】
0005552852.tif 000015
【図１５】
0005552852.tif 000016
【図１６】
0005552852.tif 000017
【図１７】
0005552852.tif 000018
【図１８】
0005552852.tif 000019
【図１９】
0005552852.tif 000020
【図２０】
0005552852.tif 000021
【図２１】
0005552852.tif 000022